(57)【要約】【課題】  前面カバー部材を着脱する際の操作部の操作性を向上させた遊技機を提供する。【解決手段】  蝶番機構は、前面カバー部材に設けられた可動軸ユニット６０と、前面枠に設けられた軸受部６２とにより構成され、可動軸ユニット６０は、軸受部６２に挿脱可能な可動軸部材６６と、軸支承部材と、コイルスプリング６８とを備え、可動軸部材６６に挿脱操作用の操作部７５を設け、軸支端補強プレート５２は、可動軸ユニット６０を覆う状態で取り付けられ、可動軸ユニット６０の操作部７５を挿脱操作方向へ案内する操作ガイド溝９１を形成し、前面カバー部材を前面枠に対して開いた状態で、可動軸部材６６および操作部７５を回動して操作部７５を軸支端補強プレート５２から後方へ突出した状態に配置すると、操作部７５が操作ガイド溝９１内に進入して下方向へ移動可能とした。【選択図】  図１７
2006051120.tif 000002
【特許請求の範囲】
【請求項１】
遊技盤を着脱可能な前面枠と、該前面枠の前面の一側方に蝶番機構を介して開閉可能に軸支され、遊技盤の前面を覆う透明部材を保持する前面カバー部材と、を備えた遊技機において、
前記前面カバー部材は、
前記遊技盤を視認可能な開口部を有し、該開口部を塞ぐ状態で前記透明部材を取り付けるベース部材と、
当該前面カバー部材の回動軸支端側を上下方向全域に亘って補強する軸支端補強プレートと、
を備え、
前記蝶番機構は、
前記前面カバー部材に設けられた可動軸ユニットと、前記前面枠に設けられた軸受部と、により構成され、
前記可動軸ユニットは、
前記軸受部に挿脱可能な可動軸部材と、該可動軸部材を支承する軸支承部材と、前記可動軸部材を上方向へ付勢する付勢部材と、を備え、
前記軸支承部材は、
縦方向に延在する取付面部と、
該取付面部の上端を水平方向に屈曲し、前記可動軸部材を挿通して支承する上支承孔を開設した上支承面部と、
前記取付面部の下端を水平方向に屈曲し、前記可動軸部材の挿通して支承する下支承孔を前記上支承孔と上下方向に重合する位置に開設した下支承面部と、
を形成し、
前記可動軸部材は、
前記軸支承部材の下支承孔に下方から挿入して上端を上支承面部の上面から十分に突出可能な長さを有する軸部と、
該軸部の下端から水平方向に一旦屈曲してから更に略直角方向で且つ水平方向に屈曲成型した挿脱操作用の操作部と、
から構成され、
前記付勢部材は、
前記可動軸部材を前記軸支承部材に支承した状態で、前記上支承面部と前記下支承面部の間の軸部に巻装され、
前記ベース部材は、
前記前面カバー部材の回動軸支端側の上部に形成され、前記可動軸ユニットを収納可能な収納空部と、
該収納空部に連設され、前記可動軸ユニットを前記収納空部に収納した状態で、前記可動軸部材の軸部の上端が上支承面部と面一となるまで前記操作部を下降可能な操作空間部と、
該操作空間部から前記前面カバー部材の中央側に連設され、常態における操作部を収納可能であり、前記操作部の下方向の移動を規制する操作収納空間部と、
を形成し、
前記軸支端補強プレートは、
前記収納空部に収納された可動軸ユニットを覆う状態で取り付けられ、前記操作部を下方向へ案内する操作ガイド溝を形成し、
前記ベース部材の前記操作収納空間部に収納された操作部を回動して前記軸支端補強プレートから後方へ突出した状態にすると、前記操作ガイド溝に沿って前記操作部を下方向へ移動可能とすることを特徴とする遊技機。
【請求項２】
前記可動軸ユニットの軸支承部材は、
前記可動軸部材の支承位置よりもベース部材側に、前記軸受部の前記ベース部材への衝突を阻止する衝突阻止部を設けたことを特徴とする請求項１に記載の遊技機。
【請求項３】
前記ベース部材は、
前記収納空部に、前記可動軸ユニットを止着する第１止着部と、前記可動軸ユニットおよび前記軸支端補強プレートを重ねた状態で止着する第２止着部と、を備えたことを特徴とする請求項１または請求項２に記載の遊技機。
【請求項４】
前記操作部は、
前記前面カバー部材を前記前面枠に対して開いたときに、当該操作部の先端を前記前面枠の前面の他側方へ向けて前記軸支端補強プレートから突出して、前記前面枠の前面に対して傾斜した状態で配置可能であり、
前記操作部が前記軸支端補強プレートから突出したままの状態で前記前面カバー部材を閉じると、前記操作部がその先端を前面枠に当接しながら前記前面カバー部材へ向けて回動することを特徴とする請求項１から請求項３のいずれかに記載の遊技機。
【発明の詳細な説明】
【技術分野】
【０００１】
本発明は、前面枠に前面カバー部材を、蝶番機構を介して開閉可能に軸支したパチンコ遊技機等の遊技機に関する。
【背景技術】
【０００２】
従来の遊技機、例えば、パチンコ遊技機においては、遊技盤を着脱可能な前面枠の前面の一側方に、装飾ランプ等を設けた前面カバー部材（ガラス枠）を蝶番機構により開閉可能な状態に軸支し、前面カバー部材には大きな開口部を開設するとともに該開口部を透明部材（ガラス）で塞いで、遊技盤上に形成された遊技領域を開口部から前方へ臨ませている。そして、装飾ランプ等のメンテナンスを効率よく行えるように、前面カバー部材を前面枠から取り外し可能とする蝶番機構が提案されている（例えば、特許文献１参照）。この蝶番機構は、前面カバー部材側に設けられた軸を上下動して前面枠側に設けられた軸受部に挿脱できるように構成されている。
【特許文献１】特開２００３−２１０８０２号公報
【発明の開示】
【発明が解決しようとする課題】
【０００３】
ところで、上記蝶番機構は、軸を上下動するための操作突部を軸に接続し、この操作突部を前面カバー部材の裏側から突出させている。そして、この操作突部は、前面カバー部材を閉じたときに前面枠に干渉することを避けるために、極めて短い長さに設定されている。そのため、メンテナンス作業を行う作業員は、操作突部を指でつまみ難く、前面カバー部材の取り外し作業を迅速に行うことが困難であった。
【０００４】
そこで、本発明は、上記の事情に鑑みてなされたものであり、その目的は、前面カバー部材を着脱する際の操作部の操作性を向上させた遊技機を提供しようとするものである。
【課題を解決するための手段】
【０００５】
本発明は、上記目的を達成するために提案されたものであり、請求項１に記載のものは、遊技盤を着脱可能な前面枠と、該前面枠の前面の一側方に蝶番機構を介して開閉可能に軸支され、遊技盤の前面を覆う透明部材を保持する前面カバー部材と、を備えた遊技機において、
前記前面カバー部材は、
前記遊技盤を視認可能な開口部を有し、該開口部を塞ぐ状態で前記透明部材を取り付けるベース部材と、
当該前面カバー部材の回動軸支端側を上下方向全域に亘って補強する軸支端補強プレートと、
を備え、
前記蝶番機構は、
前記前面カバー部材に設けられた可動軸ユニットと、前記前面枠に設けられた軸受部と、により構成され、
前記可動軸ユニットは、
前記軸受部に挿脱可能な可動軸部材と、該可動軸部材を支承する軸支承部材と、前記可動軸部材を上方向へ付勢する付勢部材と、を備え、
前記軸支承部材は、
縦方向に延在する取付面部と、
該取付面部の上端を水平方向に屈曲し、前記可動軸部材を挿通して支承する上支承孔を開設した上支承面部と、
前記取付面部の下端を水平方向に屈曲し、前記可動軸部材の挿通して支承する下支承孔を前記上支承孔と上下方向に重合する位置に開設した下支承面部と、
を形成し、
前記可動軸部材は、
前記軸支承部材の下支承孔に下方から挿入して上端を上支承面部の上面から十分に突出可能な長さを有する軸部と、
該軸部の下端から水平方向に一旦屈曲してから更に略直角方向で且つ水平方向に屈曲成型した挿脱操作用の操作部と、
から構成され、
前記付勢部材は、
前記可動軸部材を前記軸支承部材に支承した状態で、前記上支承面部と前記下支承面部の間の軸部に巻装され、
前記ベース部材は、
前記前面カバー部材の回動軸支端側の上部に形成され、前記可動軸ユニットを収納可能な収納空部と、
該収納空部に連設され、前記可動軸ユニットを前記収納空部に収納した状態で、前記可動軸部材の軸部の上端が上支承面部と面一となるまで前記操作部を下降可能な操作空間部と、
該操作空間部から前記前面カバー部材の中央側に連設され、常態における操作部を収納可能であり、前記操作部の下方向の移動を規制する操作収納空間部と、
を形成し、
前記軸支端補強プレートは、
前記収納空部に収納された可動軸ユニットを覆う状態で取り付けられ、前記操作部を下方向へ案内する操作ガイド溝を形成し、
前記ベース部材の前記操作収納空間部に収納された操作部を回動して前記軸支端補強プレートから後方へ突出した状態にすると、前記操作ガイド溝に沿って前記操作部を下方向へ移動可能とすることを特徴とする遊技機である。
【０００６】
請求項２に記載のものは、前記可動軸ユニットの軸支承部材は、
前記可動軸部材の支承位置よりもベース部材側に、前記軸受部の前記ベース部材への衝突を阻止する衝突阻止部を設けたことを特徴とする請求項１に記載の遊技機である。
【０００７】
請求項３に記載のものは、前記ベース部材は、
前記収納空部に、前記可動軸ユニットを止着する第１止着部と、前記可動軸ユニットおよび前記軸支端補強プレートを重ねた状態で止着する第２止着部と、を備えたことを特徴とする請求項１または請求項２に記載の遊技機である。
【０００８】
請求項４に記載のものは、前記操作部は、
前記前面カバー部材を前記前面枠に対して開いたときに、当該操作部の先端を前記前面枠の前面の他側方へ向けて前記軸支端補強プレートから突出して、前記前面枠の前面に対して傾斜した状態で配置可能であり、
前記操作部が前記軸支端補強プレートから突出したままの状態で前記前面カバー部材を閉じると、前記操作部がその先端を前面枠に当接しながら前記前面カバー部材へ向けて回動することを特徴とする請求項１から請求項３のいずれかに記載の遊技機である。
【発明の効果】
【０００９】
本発明によれば、以下のような優れた効果を奏する。
請求項１に記載の発明によれば、前面カバー部材は、遊技盤を視認可能な開口部を有し、該開口部を塞ぐ状態で透明部材を取り付けるベース部材と、当該前面カバー部材の回動軸支端側を上下方向全域に亘って補強する軸支端補強プレートとを備え、蝶番機構は、前面カバー部材に設けられた可動軸ユニットと、前面枠に設けられた軸受部とにより構成され、可動軸ユニットは、軸受部に挿脱可能な可動軸部材と、該可動軸部材を支承する軸支承部材と、可動軸部材を上方向へ付勢する付勢部材とを備え、軸支承部材は、縦方向に延在する取付面部と、該取付面部の上端を水平方向に屈曲し、可動軸部材を挿通して支承する上支承孔を開設した上支承面部と、取付面部の下端を水平方向に屈曲し、可動軸部材の挿通して支承する下支承孔を上支承孔と上下方向に重合する位置に開設した下支承面部とを形成し、可動軸部材は、軸支承部材の下支承孔に下方から挿入して上端を上支承面部の上面から十分に突出可能な長さを有する軸部と、該軸部の下端から水平方向に一旦屈曲してから更に略直角方向で且つ水平方向に屈曲成型した挿脱操作用の操作部とから構成され、付勢部材は、可動軸部材を軸支承部材に支承した状態で、上支承面部と下支承面部の間の軸部に巻装され、ベース部材は、前面カバー部材の回動軸支端側の上部に形成され、可動軸ユニットを収納可能な収納空部と、該収納空部に連設され、可動軸ユニットを収納空部に収納した状態で、可動軸部材の軸部の上端が上支承面部と面一となるまで操作部を下降可能な操作空間部と、該操作空間部から前面カバー部材の中央側に連設され、常態における操作部を収納可能であり、操作部の下方向の移動を規制する操作収納空間部とを形成し、軸支端補強プレートは、収納空部に収納された可動軸ユニットを覆う状態で取り付けられ、操作部を下方向へ案内する操作ガイド溝を形成し、ベース部材の操作収納空間部に収納された操作部を回動して軸支端補強プレートから後方へ突出した状態にすると、操作ガイド溝に沿って操作部を下方向へ移動可能とするので、操作部を操作し易い位置まで突出させてから可動軸部材を挿脱操作することができる。したがって、前面カバー部材の着脱操作を容易に行うことができ、組立作業やメンテナンス作業の効率向上や負担軽減を図ることができる。また、前面カバー部材の着脱操作を行わない場合に、操作部を操作収納空間部に収納しておくことができ、遊技機の配線が引っ掛かったり、あるいは作業者が手をぶつけたりする不都合を未然に防ぐことができる。
【００１０】
請求項２に記載の発明によれば、可動軸ユニットの軸支承部材は、可動軸部材の支承位置よりもベース部材側に、軸受部の前記ベース部材への衝突を阻止する衝突阻止部を設けたので、可動軸ユニットに軸受部を嵌合する際に、軸受部が収納空部のうち可動軸ユニットよりも奥側に衝突してベース部材が損傷する不都合をなくすようにすることができる。
【００１１】
請求項３に記載の発明によれば、ベース部材は、収納空部に、可動軸ユニットを止着する第１止着部と、可動軸ユニットおよび軸支端補強プレートを重ねた状態で止着する第２止着部とを備えたので、可動軸ユニットを予め取り付けた状態で軸支端補強プレートを取り付けることができる。したがって、予め位置決めされた可動軸ユニットの操作部の位置に合わせて操作ガイド溝を位置決めすることができ、操作部が操作ガイド溝の縁に干渉しないように可動軸ユニットおよび軸支端補強プレートを組み付けることができる。
【００１２】
請求項４に記載の発明によれば、操作部は、前面カバー部材を前面枠に対して開いたときに、当該操作部の先端を前面枠の前面の他側方へ向けて軸支端補強プレートから突出して、前面枠の前面に対して傾斜した状態で配置可能であり、操作部が軸支端補強プレートから突出したままの状態で前面カバー部材を閉じると、操作部がその先端を前面枠に当接しながら前面カバー部材へ向けて回動するので、前面カバー部材を前面枠に対して閉じるときに、操作部や前面枠が互いに押圧して損傷してしまう不都合をなくすことができる。
【発明を実施するための最良の形態】
【００１３】
以下、代表的な遊技機であるパチンコ遊技機を例に挙げて本発明の実施の最良の形態を図面に基づき説明する。図１はパチンコ遊技機の正面図、図２は前面カバー部材を開放した状態におけるパチンコ遊技機の斜視図である。
パチンコ遊技機１は、外枠（機枠あるいは本体枠）２に、大きな矩形状開口部を有する略額縁状の前面枠（内枠）３の一側（図中左側）を開閉可能に取り付け、この前面枠３の遊技盤収納部４（図２参照）内に遊技盤５を着脱（交換）可能な状態で取り付け、遊技盤５の表面には、表示装置、大入賞口、一般入賞口（いずれも図示せず）、アウト口５′などを配設した遊技領域６をガイドレールなどの遊技領域区画部材７により区画することで形成している。また、前面枠３の前面側には、一側（図中左側）が軸着（軸支）された前面カバー部材８を開閉（回動）可能に設け、該前面カバー部材８に透視可能なガラス板９を収納し、このガラス板９を通して遊技領域６を前方から透視可能な状態で覆い、前面カバー部材８の下方に上皿ユニット１０と下皿ユニット１１とを左右に少し位置をずらした状態で上下に設けてある。そして、このパチンコ遊技機１は、その横に設置されたカードユニット（図示せず）のカード挿入口にプリペイドカード等の記憶媒体（遊技価値が記憶されている）を挿入し、前面カバー部材８の下部に設けられた球貸用操作ボタン１２を操作すると、パチンコ遊技機１の内部に設けられた球排出装置（図示せず）が作動して遊技球が上皿ユニット１０に排出されるとともに記憶媒体の記憶内容が書き換えられ、返却用操作ボタン１３を操作するとカードユニット内の記憶媒体がカード挿入口から返却されるように構成されている。
【００１４】
次に、前面カバー部材（透明部材保持枠）８について説明する。
前面カバー部材８は、図３〜６に示すように、遊技盤５の遊技領域６の全体が視認可能な略円形の開口部２１を開設したベース部材２２と、該ベース部材２２の前面上部に設けられたパイロットレンズユニット２３と、パイロットレンズユニット２３の左右両端部の下方に設けられたスピーカー２４と、該スピーカー２４の前方を覆うスピーカー装飾ユニット２５と、ベース部材２２の前面下部に設けられた下部装飾ユニット２６と、開口部２１の周縁部に設けられた略環状のレンズユニット２７と、ベース部材２２の裏側に開口部２１を塞ぐ状態でガラス板９を取り付けるガラスユニット２８（本発明の透明部材に相当）と、開口部２１の下方部分に配設され、ガラスユニット２８の下端を嵌合する裏面部材２９と、ベース部材２２の裏面上部に設けられ、ガラスユニット２８を保持するためのガラスユニット保持部材３０とから概略構成されている。そして、ベース部材２２の一側（図５中右側）の上部に設けた蝶番機構（上側蝶番機構）３１と一側下部に設けた下側軸支機構（ヒンジ金具）３２とを介して前面枠３の一側に開閉可能に軸着されている。また、ベース部材２２の他側上部には開閉検出器３３を、その検出部を後方へ突出する状態でベース部材２２の前方から取り付け、前面カバー部材８の開閉状態を検出できるように構成されている。なお、開閉検出器３３の前方には、前面カバー部材８の前面の一部を構成する検出器カバー３４を取り付けている。また、パイロットレンズユニット２３には、中央部分に略逆三角形状のパイロットレンズ３５を、該パイロットレンズ３５の右側方には開閉ランプ用レンズ３６および球排出エラーランプ用レンズ３７を横に並べて備えている。
【００１５】
ベース部材２２は、合成樹脂により成形された背面開放の浅いカバー状の部材である。このベース部材２２は、上部の左右にスピーカー取付部３８を設けて前方からスピーカー２４をねじ等の止着部材（図示せず）により止着し、前面には複数の発光基板４０を取り付け、各発光基板４０の前面には、点状の発光体（例えば、ＬＥＤ）４４を複数配設している。なお、パイロットレンズユニット２３のパイロットレンズ３５の後方に配設された発光体４４は、遊技中における所謂大当り時に点灯するパイロットランプとして機能する。また、開閉ランプ用レンズ３６の後方に配設された発光体４４は、前面カバー部材８が前面枠３に対して開いたときに開閉検出器３３からの信号に基づいて点灯する開閉ランプとして機能し、球排出エラーランプ用レンズ３７の後方に配設された発光体４４は、パチンコ遊技機１内の球排出機構（図示せず）に球詰まり等のエラーが発生したときに点灯する球排出エラーランプとして機能する。
【００１６】
また、ベース部材２２の裏面には、図７に示すように、開口部２１の内周縁の外側に壁状の防犯リブ４８が立設され、該防犯リブ４８の内側にガラスユニット２８が装着されるように構成されている。そして、このベース部材２２の裏面のうち開口部２１の上方に横長な金属製の上補強プレート５１をねじで固定するとともに、開口部２１の一側（前面カバー部材８の回動軸支端側。図中右側。）に縦長な軸支端補強プレート５２を、開口部２１の他側（前面カバー部材８の回動自由端側。図中左側。）に縦長な自由端補強プレート５３を、開口部２１の下方に横長な下補強プレート５４を軸支端補強プレート５２の下端と自由端補強プレート５３の下端とに接続した状態でそれぞれねじにより固定している。さらに、軸支端補強プレート５２の上部前側（ベース部材２２との間）に蝶番機構３１の可動軸ユニット６０を設け（図８および図９参照）、軸支端補強プレート５２の下部には、下側軸支機構３２の一部である固定軸受部６１を前方に向けて屈曲した状態で形成している（図１３参照）。また、自由端補強プレート５３には、前面カバー部材８が閉状態時に前面枠へ係止する係止片５３ａを、当該自由端補強プレート５３の上寄りに２箇所、下寄りに１箇所設け、上寄りの係止片５３ａの間に矩形状のプレート開口５５を開設し、このプレート開口５５から開閉検出器３３の検出部を後方へ臨ませている。なお、上補強プレート５１，軸支端補強プレート５２，自由端補強プレート５３，下補強プレート５４はそれぞれ金属板製であり、ベース部材２２の開口部２１の四方を囲むように付設される補強材として機能する。なお、図７中、符号５６はベース部材２２の上部に取り付けられる配線カバー部材であり、符号５７はベース部材２２の右側に取り付けられる防犯兼配線カバー部材である。
【００１７】
次に、前面カバー部材８を軸支する蝶番機構３１および下側軸支機構３２について詳しく説明する。
先ず、蝶番機構３１について説明すると、この蝶番機構３１は、前面カバー部材８に設けられた可動軸ユニット６０と、前面枠３に設けられた軸受部６２とにより構成されている。
【００１８】
可動軸ユニット６０は、ベース部材２２に形成された収納空部６５に収納される部材であり、図１０に示すように、前面枠３の軸受部６２に挿脱可能な可動軸部材６６と、該可動軸部材６６を支承する軸支承部材６７と、可動軸部材６６の先端が軸受部６２に挿入する方向へ付勢する付勢部材としてのコイルスプリング６８とを備えている。軸支承部材６７は、縦方向に延在する取付面部６７ａの上端と下端を水平方向に屈曲成型して上支承面部６７ｂと下支承面部６７ｃを形成した断面略コ字状の金属板製の部材であり、取付面部６７ａには取付孔６７ｄおよび位置決め孔６７ｅを開設し、上支承面部６７ｂには可動軸部材６６を挿通して支承する支承孔（上支承孔）６７ｆを開設し、下支承面部６７ｃには可動軸部材６６を挿通して支承する支承孔（下支承孔）６７ｇを、上支承孔６７ｆと上下方向に重合する位置に開設し、上支承面部６７ｂの先端部分（可動軸部材６６の支承位置に配置される支承孔６７ｆよりもベース部材２２側）には衝突阻止部７０を上向きに屈曲成型してある。なお、取付面部６７ａと上支承面部６７ｂとの屈曲部分、および取付面部６７ａと下支承面部６７ｃとの屈曲部分には補強部７１をそれぞれ刻設して強度を高めてある。
【００１９】
可動軸部材６６は、軸支承部材６７の上下の支承面部６７ｂ，６７ｃの支承孔６７ｆ，６７ｇ内に下方から挿入して上端を上支承面部６７ｂの上面から十分に突出可能な長さを有する軸部７４と、この軸部７４の下端から水平方向に一旦屈曲してから更に略直角方向且つ水平方向に屈曲成型した挿脱操作用の操作部７５とからなり、軸部７４の上端から少し下降した位置にストッパ７６を設け、このストッパ７６と下支承面部６７ｃとの間の軸部７４にコイルスプリング６８を巻装し、このコイルスプリング６８により軸部７４を上方に向けて付勢しており、自然状態（常態）ではストッパ７６が上支承面部６７ｂの下面に当接して軸部７４の上端を大きく突出させた状態で停止している。
【００２０】
上記した構成からなる可動軸ユニット６０を取り付けるベース部材２２の収納空部６５は、図９、図１１および図１５（ａ）に示すように、軸支承部材６７を固定する止着部（ボス）７８を複数立設し、これら止着部７８の上方に、軸部７４の突出長さよりも上下寸法が大きな係合空間部７９を連設し、止着部７８の下方には、軸部７４の上端が上支承面部６７ｂと面一になるまで操作部７５が下降し得る上下寸法を有する操作空間部８０を連設し、操作空間部８０の一側方（詳しくは前面カバー部材８の左右方向の中央側）には、常態における操作部７５を収納可能であり、操作部７５の下方向への移動を規制する操作収納空間部８１を形成している。また、収納空部６５の一側方（図中左側方）および収納空部６５内の他側寄り（図中右寄り）の箇所には、可動軸ユニット６０の位置決めを行うための位置決め突起８２を突設している。なお、止着部７８は、可動軸ユニット６０のみを止着する第１止着部７８ａと、可動軸ユニット６０および軸支端補強プレート５２を重ねた状態で止着する第２止着部７８ｂとから構成されている。本実施形態では、収納空部６５の開口部２１側（図１５（ａ）中左側）には上から第２止着部７８ｂ、第１止着部７８ａの順で、さらに、開口部２１とは反対側（図１５（ａ）中右側）には、上から第１止着部７８ａ、第２止着部７８ｂの順で、それぞれ縦に並べた状態で各止着部７８を配置している。また、ベース部材２２への可動軸ユニット６０および軸支端補強プレート５２の取付状態については、後で詳細に説明する。
【００２１】
そして、可動軸ユニット６０の後方に配置された軸支端補強プレート５２は、その上端部が可動軸ユニット６０を覆う状態でベース部材２２の裏側および軸支承部材６７の取付面部６７ａに取り付けられ、当該軸支端補強プレート５２の一側（開口部２１とは反対側）には、前方へ突出した補強壁８６を上下方向の全体に亘って設けて当該軸支端補強プレート５２の強度を高め、さらに、補強壁８６を前面カバー部材８の位置決め溝８７に嵌合することで軸支端補強プレート５２の左右方向の位置決めを行えるように構成されている（図９および図１２参照）。
【００２２】
また、軸支端補強プレート５２のうち可動軸部材６６の操作部７５の後方に位置する部分、すなわち収納空部６５の操作空間部８０および操作収納空間部８１の後方に位置する部分には、図８に示すように、操作部７５の幅（太さ）よりも十分に広い進退通路９０を、当該軸支端補強プレート５２の開口部２１側の側辺から横方向へ開設し、進退通路９０と操作収納空間部８１とを前後方向に連通させて、操作部７５が回動しながら操作収納空間部８１に対して進退できるように構成されている。さらに、進退通路９０の突き当たり部（すなわち開口部２１とは反対側の端部）であって、軸支承部材６７の下支承面部６７ｃの後方には、可動軸部材６６の挿脱方向（操作部７５の挿脱操作方向）に沿って縦長な操作ガイド溝９１を、軸部７４の上端が上支承面部６７ｂと面一になるまで操作部７５が下降し得る長さ、すなわち操作空間部８０と略同じ上下寸法で形成している。なお、可動軸部材６６の動作については、後で詳細に説明する。
【００２３】
可動軸ユニット６０の軸部７４を遊嵌可能な軸受部６２は、前面枠３の前面の一側方の上部、具体的には正面から見て左側の上部に前方へ向けて延設された平板状の金属部材である。この軸受部６２は、図１８に示すように、前面カバー部材８の重量を支持し得る程度の厚さ、且つベース部材２２の係合空間部７９に十分に遊嵌可能な厚さで形成され、上から見て中央部分には、軸部７４が嵌合する軸受孔９３を上下方向（可動軸部材６６の挿脱方向）に貫通している。また、軸受部６２の前端には、軸受孔９３を略中心とする円弧面を形成し、前面カバー部材８の開閉時に軸受部６２が可動軸ユニット６０の衝突阻止部７０に干渉することを防ぐように構成されている。
【００２４】
下側軸支機構３２は、図１３および図１４に示すように、軸支端補強プレート５２の下端に一体成形され、前面カバー部材８の下部の回動軸支側に配置された固定軸受部６１と、前面枠３（詳しくは上皿ユニット１０の左上端）から上向きに突設された固定軸部材９４とから構成され、固定軸受部６１には固定軸部材９４を嵌脱可能な固定軸受孔９５を開設している。そして、下側軸支機構３２の固定軸受部６１の上方には、下部装飾ユニット２６の基部となる下部装飾ベース部材９７を配置し、また、固定軸受部６１の前方には、該下部装飾ベース部材９７の正面から見て前面左側に取り付けられる装飾パネル（第１装飾パネル９８および第２装飾パネル９９）のうち、下側に取り付けられる第２装飾パネル９９の下端を配置して、固定軸受部６１および固定軸部材９４を保護している。なお、本実施形態の下側軸支機構３２は、固定軸部材９４の基端（下端）に軸部材ベース１００を設け、該軸部材ベース１００により前面カバー部材８の上下方向の位置を決めているが、固定軸部材９４を長めに設定し、固定軸受孔９５の上方に位置する下部装飾ベース部材９７の下面に固定軸部材９４の先端を当接することで前面カバー部材８の上下方向の位置を決めてもよい。
【００２５】
このような構成を備えた蝶番機構３１の可動軸ユニット６０および下側軸支機構３２の固定軸受部６１（すなわち軸支端補強プレート５２）を前面カバー部材８に取り付けるには、まず、可動軸ユニット６０を収納空部６５に収納して固定する。具体的に説明すると、図１５（ａ）および（ｂ）に示すように、衝突阻止部７０を係合空間部７９内の奥に挿入した状態で軸支承部材６７の取付面部６７ａを止着部７８の先端に当接するとともに、位置決め孔６７ｅに位置決め突起８２を嵌合し、この状態で第１止着部７８ａの先端面に穿設してある止着孔内に、取付面部６７ａのうち第１止着部７８ａに対応する取付孔６７ｄ内に挿入したねじ等の止着部材１０３を締め込んで固定する。このとき、衝突阻止部７０は、可動軸部材６６の支承位置よりもベース部材２２側、言い換えると軸部７４よりもベース部材２２側に配置される。
【００２６】
収納空部６５に可動軸ユニット６０を固定したならば、軸支端補強プレート５２をその上部が可動軸ユニット６０を後方から覆う状態で取り付け、軸支端補強プレート５２の上部に開設したプレート位置決め孔１０４に、軸支承部材６７の取付面部６７ａの後面に突設した突起１０５を嵌合し、補強壁８６を前面カバー部材８の位置決め溝８７に嵌合して軸支端補強プレート５２の位置を決める。すると、軸支端補強プレート５２の上端部に開設されたプレート取付孔１０６が収納空部６５の第２止着部７８ｂ、および取付面部６７ａのうち第２止着部７８ｂに対応する取付孔６７ｄに重なる状態で配置される。また、軸支端補強プレート５２の下端部に開設されたプレート取付孔１０７がベース部材２２の回動軸支端側の下部に設けた下側止着部１０８（図１６（ａ）参照）に重なる状態で、さらに、軸支端補強プレート５２の中間部に開設されたプレート取付孔１０９がベース部材２２の回動軸支端側の上下方向の中間に設けた中間止着部１１０に重なる状態でそれぞれ配置される（図１３参照）。この配置状態で第２止着部７８ｂ、下側止着部１０８および中間止着部１０９に穿設してある止着孔内に、各プレート取付孔１０６，１０７，１０９内に挿入したねじ等の止着部材１１１を締め込む（図１５（ｃ）および図１６（ｂ）参照）。このようにして、軸支端補強プレート５２を前面カバー部材８に取り付けて、下側軸支機構３２の固定軸受部６１を前面カバー部材８の下端に配置することができる。そして、収納空部６５に、可動軸ユニット６０を止着する第１止着部７８ａと、可動軸ユニット６０および軸支端補強プレート５２を重ねた状態で止着する第２止着部７８ｂとを備えたので、可動軸ユニット６０を予め取り付けた状態で軸支端補強プレート５２を取り付けることができる。したがって、予め位置決めされた可動軸ユニット６０の操作部７５の位置に合わせて操作ガイド溝９１を位置決めすることができ、操作部７５が操作ガイド溝９１の縁に干渉しないように可動軸ユニット６０および軸支端補強プレート５２を組み付けることができる。
【００２７】
なお、軸支端補強プレート５２は、ベース部材２２と下部装飾ユニット２６とを止着する止着部材１１２の後方に開口孔１１３を、この止着部材１１２が十分に通過可能な状態で開設されている。したがって、下部装飾ユニット２６の交換が必要となった場合には、この下部装飾ユニット２６を、軸支端補強プレート５２をベース部材２２に取り付けたままの状態で、前面カバー部材８から前方へ簡単に取り外すことができ、交換作業を迅速に行うことができる。
【００２８】
上記のような構成の可動軸ユニット６０および固定軸受部６１が備えられた前面カバー部材８を前面枠３に取り付けるには、先ず、前面カバー部材８を、回動自由端側が下がるように少し傾けた状態、且つ前面枠３に対して開いた状態で、固定軸受部６１の固定軸受孔９５内に前面枠３側の固定軸部材９４を挿入する。また、可動軸ユニット６０の可動軸部材６６および操作部７５を回動し（図１７（ａ），（ｂ））、操作部７５を後方へ引き出して操作収納空間部８１から操作し易い位置まで突出させて、操作ガイド溝９１に進入させる（図１７（ｃ），（ｄ））。そして、この進入状態のまま操作部７５をコイルスプリング６８の付勢力に抗しながら下方へ下げる。すると、操作部７５が操作ガイド溝９１により挿脱操作方向に案内されて、軸部７４の上端が係合空間部７９から後退する（図１７（ｅ），（ｆ））。
【００２９】
そして、軸部７４を係合空間部７９から後退させた状態で、前面カバー部材８の傾きを戻して係合空間部７９に前面枠３の軸受部６２を挿入し（図１８（ａ），（ｂ））、軸部７４の上端を軸受部６２の軸受孔９３上に位置合わせする。なお、軸部７４と軸受孔９３との位置合わせ中に、軸受部６２が係合空間部７９に進入し過ぎたとしても、この軸受部６２は、軸支承部材６７の衝突阻止部７０によって係合空間部７９の奥側に位置するベース部材２２の表面に衝突することを阻止される。したがって、可動軸ユニット６０に軸受部６２を嵌合する際に、軸受部６２が収納空部６５のうち可動軸ユニット６０よりも奥側に衝突してベース部材２２が損傷する不都合をなくすようにすることができる。
【００３０】
軸部７４の位置が軸受孔９３に合ったならば、操作部７５を離す。すると、可動軸部材６６がコイルスプリング６８の付勢力により上方（軸部７４を軸受孔９３へ挿入する方向）へ移動し、軸部７４が軸受孔９３に挿入される。したがって、前面カバー部材８は、蝶番機構３１および下側軸支機構３２を介して前面枠３に軸支された状態となる。なお、可動軸部材６６は、ストッパ７６が上支承面部６７ｂの下面に当接することで停止する。そして、操作部７５は、操作ガイド溝９１と進退通路９０との連通部分に停止し（図１８（ｃ），（ｄ））、当該操作部７５の先端を前面枠３の前面の他側方（軸受部６２を設けた側とは反対側。図１９（ｂ）中左下側）へ向けて軸支端補強プレート５２から突出して、前面枠３の前面に対して傾斜した状態で配置される。
【００３１】
このような操作部７５の配置状態のまま前面カバー部材８を前面枠３に対して閉じると、操作部７５は、その先端を前面枠３に当接する。この当接状態のまま前面カバー部材８をさらに閉じると、操作部７５は、前面枠３に押されて前面カバー部材８へ向けて回動する（図１９（ａ），（ｂ））。したがって、前面カバー部材８を前面枠３に対して閉じるときに、操作部７５や前面枠３が互いに押圧して損傷してしまう不都合をなくすことができる。さらに、前面カバー部材８を前面枠３に対して十分に閉じると、操作部７５は、前面枠３の前面に当該操作部７５の側面（水平方向へ延在する外周面）を当接した状態で操作収納空間部８１へ収納される（図１９（ｃ），（ｄ））。
【００３２】
また、可動軸部材６６は、操作部７５を操作収納空間部８１に収納しておくことができる。しかも、ストッパ７６がコイルスプリング６８により上支承面部６７ｂへ押し付けられているので、一度閉じた前面カバー部材８を再び前面枠３に対して開くと、この可動軸部材６６は、操作部７５を操作収納空間部８１に収納したまま軸支承部材６７および前面カバー部材８と共回りすることができる。したがって、前面カバー部材８の着脱操作を行わない場合に、操作部７５を操作収納空間部８１に収納しておくことができ、パチンコ遊技機１の配線が引っ掛かったり、あるいは作業者が手をぶつけたりする不都合を未然に防ぐことができる。
【００３３】
そして、前面カバー部材８を取り外す必要があるときには、先ず前面カバー部材８を大きく開き、この開状態で可動軸部材６６および操作部７５を回動し、操作部７５を操作収納空間部８１から引き出して軸支端補強プレート５２から後方へ突出した状態に配置する。すると、操作部７５が操作ガイド溝９１に進入して挿脱操作方向へ移動可能となる。操作部７５を挿脱操作方向へ移動可能としたならば、この操作部７５を挿脱操作方向へ沿って下方へ下げて、軸受部６２の軸受孔９３から軸部７４を引き抜く。そして、この引き抜き状態を維持しながら前面カバー部材８を傾けて係合空間部７９から軸受部６２を脱離する。すると、前面カバー部材８を持ち上げて固定軸受部６１から固定軸部材９４を外すことができ、これにより前面カバー部材８を前面枠３から取り外すことができる。
【００３４】
このように、前面カバー部材８の取付作業および取り外し作業において、可動軸ユニット６０は、可動軸部材６６の操作部７５を操作し易い位置まで突出させてから可動軸部材６６を挿脱操作することができる。したがって、前面カバー部材８の着脱操作を容易に行うことができ、組立作業やメンテナンス作業の効率向上や負担軽減を図ることができる。
【００３５】
なお、上記実施形態では、前面カバー部材８および前面枠３の上部に蝶番機構３１を、下部に軸支機構（下側軸支機構３２）をそれぞれ備えたが、本発明はこれに限定されず、例えば、前面カバー部材８および前面枠３の下部に蝶番機構を、上部に軸支機構を備えてもよい。そして、上記実施形態は、代表的な遊技機であるパチンコ遊技機１を例に挙げて説明したが、本発明はこれに限らず、その他、前面枠に前面カバー部材を、蝶番機構を介して開閉可能に軸支した遊技機であればよい。例えば、内部に封入した遊技球を循環させる封入球式パチンコ遊技機、アレンジボール式遊技機、雀球式遊技機等の遊技機であってもよい。
【００３６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３７】
【図１】パチンコ遊技機の正面図である。
【図２】前面カバー部材を開いた状態のパチンコ遊技機の斜視図である。
【図３】前面カバー部材の斜視図である。
【図４】前面カバー部材の正面図である。
【図５】前面カバー部材の背面図である。
【図６】前面カバー部材の前面側の分解斜視図である。
【図７】前面カバー部材の裏面側の分解斜視図である。
【図８】前面カバー部材の可動軸ユニット周辺の背面拡大図である。
【図９】前面カバー部材の可動軸ユニット周辺の分解斜視拡大図である。
【図１０】可動軸ユニットの斜視図である。
【図１１】図８のＣ−Ｃ断面図である。
【図１２】図４のＡ−Ａ断面図である。
【図１３】前面カバー部材の下部周辺の分解斜視図である。
【図１４】図４のＢ−Ｂ断面図である。
【図１５】（ａ）は収納空部周辺の拡大背面図、（ｂ）は収納空部に可動軸ユニットを取り付けた状態の背面図、（ｃ）は可動軸ユニットの後方に軸支端補強プレートを取り付けた状態の背面図である。
【図１６】（ａ）は下側止着部周辺の拡大背面図、（ｂ）は下側止着部に軸支端補強プレートを取り付けた状態の背面図である。
【図１７】（ａ）は操作部を操作収納空間部に収納した状態の背面図、（ｂ）は（ａ）の平面断面図、（ｃ）は操作部を操作ガイド溝の上部へ回動した状態の背面図、（ｄ）は（ｃ）の平面断面図、（ｅ）は可動軸部材を下方へ移動した状態の背面図、（ｆ）は（ｅ）の平面断面図である。
【図１８】（ａ）は係合空間部に軸受部を挿入する前の状態の背面図、（ｂ）は（ａ）の平面図、（ｃ）は係合空間部の軸受部に軸部を挿入した状態の背面図、（ｄ）は（ｃ）の平面図である。
【図１９】（ａ）は前面枠に対して閉じる前の可動軸ユニットの背面図、（ｂ）は（ａ）の平面図、（ｃ）は前面枠に対して閉じた後の可動軸ユニットの背面図、（ｄ）は（ｃ）の平面断面図である。
【符号の説明】
【００３８】
１  パチンコ遊技機
３  前面枠
８  前面カバー部材
９  ガラス板
１０  上皿ユニット
１１  下皿ユニット
２１  開口部
２２  ベース部材
２５  スピーカー装飾ユニット
２６  下部装飾ユニット
２８  ガラスユニット
３１  蝶番機構
３２  下側軸支機構
５１  上補強プレート
５２  軸支端補強プレート
５３  自由端補強プレート
５４  下補強プレート
５５  プレート開口
６０  可動軸ユニット
６１  固定軸受部
６２  軸受部
６５  収納空部
６６  可動軸部材
６７  軸支承部材
６７ａ  取付面部
６７ｂ  上支承面部
６７ｃ  下支承面部
６７ｄ  取付孔
６７ｅ  位置決め孔
６７ｆ  支承孔
６７ｇ  支承孔
６８  コイルスプリング
７０  衝突阻止部
７４  軸部
７５  操作部
７６  ストッパ
７８  止着部
７８ａ  第１止着部
７８ｂ  第２止着部
７９  係合空間部
８０  操作空間部
８１  操作収納空間部
９０  進退通路
９１  操作ガイド溝
９３  軸受孔
９４  固定軸部材
９５  固定軸受穴
９７  下部装飾ベース部材
９８  第１装飾パネル
９９  第２装飾パネル
【図１】
2006051120.tif 000003
【図２】
2006051120.tif 000004
【図３】
2006051120.tif 000005
【図４】
2006051120.tif 000006
【図５】
2006051120.tif 000007
【図６】
2006051120.tif 000008
【図７】
2006051120.tif 000009
【図８】
2006051120.tif 000010
【図９】
2006051120.tif 000011
【図１０】
2006051120.tif 000012
【図１１】
2006051120.tif 000013
【図１２】
2006051120.tif 000014
【図１３】
2006051120.tif 000015
【図１４】
2006051120.tif 000016
【図１５】
2006051120.tif 000017
【図１６】
2006051120.tif 000018
【図１７】
2006051120.tif 000019
【図１８】
2006051120.tif 000020
【図１９】
2006051120.tif 000021